(57)【特許請求の範囲】
【請求項１】
管状樹脂フイルムから成るチュ−ブを所定幅で連続的に輪切断する連続輪切断方法であって、
供給部が、前記チュ−ブを所定の供給速度で前方へ連続供給するステップと、
第１挟持具が、原位置において、前記供給部から供給される前記チュ−ブを、内面及び外面から挟持するステップと、
前記チューブを挟持する第１挟持具が、前記供給速度で前方へ移動し、該チューブを該第１挟持具よりも前方に位置する第２挟持具に挿通させるステップと、
前記第２挟持具が、前記第２挟持具に挿通させられたチュ−ブを内面及び外面から挟持するステップと、
前記第１挟持具が、前記チューブの挟持を解除して前記原位置に復帰した状態で、該チューブを、内面及び外面から挟持するステップと、
前記第１挟持具及び第２挟持具の間に配設された吸着具が、前記第２挟持具に挿通させられたチューブの上面を、吸引保持するステップと、
前記第１挟持具及び前記吸着具の間に位置する切断具が、前記チュ−ブを輪切断するステップと、
前記チューブを挟持する第２挟持具及び該チューブを吸引保持する吸着具が、前方へ移動することにより、輪切断されたチューブ片を前記供給部から供給されるチューブから切り離すステップと、
前記第２挟持具が、前記チューブ片の挟持を解除するステップと、
前記チューブ片を吸引保持する吸着具が、該チューブ片を搬出するステップと、
を含む連続輪切断方法。
【請求項２】
前記第１挟持具及び前記第２挟持具が、前記チューブの内面に挿通する円形状支持部材を受台として該チューブを外面から押して挟持する請求項１に記載する連続輪切断方法。
【請求項３】
管状樹脂フイルムから成るチュ−ブを所定幅で連続的に輪切断する連続輪切断装置であって、
前記チュ−ブを所定の供給速度で前方へ連続供給する供給部と、
前記供給部から供給される前記チュ−ブを、原位置において内面及び外面から挟持して、前記供給速度で前方へ移動する第１挟持具と、
前記第１挟持具よりも前方に位置し、前記第１挟持具が前方へ移動することにより該チューブが挿通させられた状態で、該チュ−ブを内面及び外面から挟持する第２挟持具と、
前記第１挟持具及び第２挟持具の間に配設され、該第２挟持具に挿通させられたチューブの上面を吸引保持する吸着具と、
前記第１挟持具及び前記吸着具の間に位置し、該第１挟持具が前記チューブの挟持を解除し前記原位置に復帰して該チューブを挟持し、前記第２挟持具が該チューブを挟持し、該吸着具が該チューブを吸引保持した状態で、該チュ−ブを輪切断する切断具と、
を含み、
前記チューブを挟持する第２挟持具及び該チューブを吸引保持する吸着具が、前方へ移動することにより、輪切断されたチューブ片を前記供給部から供給されるチューブから切り離した状態で、該第２挟持具が該チューブ片の挟持を解除し、該チューブ片を吸引保持する吸着具が該チューブ片を搬出する連続輪切断装置。
【請求項４】
前記第１挟持具及び前記第２挟持具が、前記チューブの内面に挿通する円形状支持部材を受台として該チューブを外面から押して挟持する請求項３に記載する連続輪切断装置。
【請求項５】
前記切断具が、カッター刃が前記チューブの外周に沿って回転することにより該チューブを切断する請求項３又は請求項４のいずれかに記載する連続輪切断装置。
【発明の詳細な説明】
【０００１】
【発明の属する分野】
本発明は連続供給される長尺樹脂製チュ−ブ、例えば環状ダイス付き押出機から連続的に押出成形される無端管状フッ素系樹脂フイルムを連続して輪切断する方法及びその連続輪切断装置に関するものである。
【０００２】
【従来の技術】
樹脂を無端管状、つまりチュ−ブ状に成形してこれを所定サイズに輪切断する方法は、その形態（樹脂の種類、肉厚、径）によって種々の方法が採られている。それは一般に、予め一旦可能なかぎり長尺で成形しておき、以後適宜必要寸法に手動又は自動で切断する後切断による場合と、成形しながら連続的に自動切断する前切断による場合である。
【０００３】
前記の前切断による場合で、例えば連続押出し成形される樹脂チュ−ブを所定長に連続して輪切りする手段について、特開平８−５７７９９号公報での技術が知られている。つまりこの公報で開示される手段は、押出しチュ−ブを円形チュ−ブ支持棒に挿通し、そしてチュ−ブの押出速度（挿通速度）と同一速度で回転カッタ−付き移動体を移動しつつ、所定サイズになった時点でチュ−ブの外周をカッタ−が回転して輪切りするものである。
【０００４】
【発明が解決しようとする課題】
本発明は前記の後切断、前切断に係わらず前記号公報等とは異なる新たな手段でもって連続供給される樹脂製チュ−ブを、確実に且つ正確に、しかも輪切断課程でチュ−ブを損傷したりすることなく、所望する長さが容易に自動的に連続輪切断できることを課題として、これを解決すべき鋭意検討した結果見い出されたものである。
【０００５】
【課題を解決するための手段】
本発明の基本となる解決手段は、前記請求項１に記載の連続輪切断方法と請求項４に記載の連続輪切断装置である。
【０００６】
つまり請求項１は、管状樹脂フイルムから成るチュ−ブを所定幅で連続的に輪切断する連続輪切断方法であって、
供給部が、前記チュ−ブを所定の供給速度で前方へ連続供給するステップと、
第１挟持具が、原位置において、前記供給部から供給される前記チュ−ブを、内面及び外面から挟持するステップと、
前記チューブを挟持する第１挟持具が、前記供給速度で前方へ移動し、該チューブを該第１挟持具よりも前方に位置する第２挟持具に挿通させるステップと、
前記第２挟持具が、前記第２挟持具に挿通させられたチュ−ブを内面及び外面から挟持するステップと、
前記第１挟持具が、前記チューブの挟持を解除して前記原位置に復帰した状態で、該チューブを、内面及び外面から挟持するステップと、
前記第１挟持具及び第２挟持具の間に配設された吸着具が、前記第２挟持具に挿通させられたチューブの上面を、吸引保持するステップと、
前記第１挟持具及び前記吸着具の間に位置する切断具が、前記チュ−ブを輪切断するステップと、
前記チューブを挟持する第２挟持具及び該チューブを吸引保持する吸着具が、前方へ移動することにより、輪切断されたチューブ片を前記供給部から供給されるチューブから切り離すステップと、
前記第２挟持具が、前記チューブ片の挟持を解除するステップと、
前記チューブ片を吸引保持する吸着具が、該チューブ片を搬出するステップと、
を順次連続して行い、これを１サイクルとして以後連続反復することを特徴とする連続輪切断方法である。
【０００７】
そして請求項４は、管状樹脂フイルムから成るチュ−ブを所定幅で連続的に輪切断する連続輪切断装置であって、
前記チュ−ブを所定の供給速度で前方へ連続供給する供給部と、
前記供給部から供給される前記チュ−ブを、原位置において内面及び外面から挟持して、前記供給速度で前方へ移動する第１挟持具と、
前記第１挟持具よりも前方に位置し、前記第１挟持具が前方へ移動することにより該チューブが挿通させられた状態で、該チュ−ブを内面及び外面から挟持する第２挟持具と、
前記第１挟持具及び第２挟持具の間に配設され、該第２挟持具に挿通させられたチューブの上面を吸引保持する吸着具と、
前記第１挟持具及び前記吸着具の間に位置し、該第１挟持具が前記チューブの挟持を解除し前記原位置に復帰して該チューブを挟持し、前記第２挟持具が該チューブを挟持し、該吸着具が該チューブを吸引保持した状態で、該チュ−ブを輪切断する切断具と、
を含み、
前記チューブを挟持する第２挟持具及び該チューブを吸引保持する吸着具が、前方へ移動することにより、輪切断されたチューブ片を前記供給部から供給されるチューブから切り離した状態で、該第２挟持具が該チューブ片の挟持を解除し、該チューブ片を吸引保持する吸着具が該チューブ片を搬出する連続輪切断装置である。
【０００８】
そして請求項１に対する従属発明である請求項２及び３の発明、請求項４に対する従属発明である請求項５〜７の発明を提供する。
【０００９】
【発明の実施の形態】
そこで前記発明の連続輪切断方法とその連続輪切断装置とを、図面を参照しつつ具体的に説明する。尚、連続輪切断の対象となる長尺樹脂製チュ−ブは、その素材の種類、大きさ（肉厚、内径）については特に制限はないが、次のようなものに好ましく対応できる。つまり熱可塑性樹脂で、肉厚０．１〜２ｍｍ程度、内径５０〜５００ｍｍ程度のチュ−ブである。以下に説明するチュ−ブは、肉厚０．１５ｍｍ、内径２５０ｍｍの半導電性無端管状フッ素樹脂フイルムとして例示し、以下これをＦ・Ｔｕと呼ぶことにする。
【００１０】
まず本発明の全体を主要部をもって概略的に例示し、これを図１の側面図で示した。図において、１はＦ・Ｔｕを連続して供給する供給部で、具体的には冷却マンドレル１ａを先端に有する環状押出機である。勿論、この供給部１は、別途Ｆ・Ｔｕを成形しておいて、以後必要によって適宜輪切断する場合もあるので、かかる場合には供給部は、別の手段を採ることになる。例えばニップロ−トを供給部として、これにＦ・Ｔｕを挟んで供給する方法がある。尚、ここでのＦ・Ｔｕは、３００ｍｍ／ｍｉｎの速度で供給されるものとする。
【００１１】
冷却マンドレル１ａにより冷却されたＦ・Ｔｕは、まずその出口近辺前方で待機する第１挟持具に送られる。挟持具は、送られてくるＦ・Ｔｕの内面に挿通してこれを支持する円形状支持部材２と、垂直支持板３ｂに固定して設けられた、Ｆ・Ｔｕの外面を押して挟動作をする挟脱自在の４個挟持具材３とによって構成される。実際の挟動作は、垂直線状に並んで待機状態に置かれている円形状支持部材２と挟持具材３とによって行われるが、そのタイミングは円形状支持部材２を挿通し先端縁部が長さｄ１だけオ−バした時点である。第１挟持具は前後動するが、まず前動の駆動は、Ｆ・Ｔｕを挟持した状態で支持板３ｂを前進すればよい。この前動は筐体１００の上に設けられた２本のリニヤ−スライダ−１０１上をスライドさせることで行うが、このスライドは支持板３ｂを、回動チエ−ン１０２に、図１中の黒印１０３の位置で固定して、これを回動モ−タ１０４を正回転することで行う。ここで円形状支持部材２は、冷却マンドレル１ａの中心に固定されたレ−ル２ａに支持されつつ支持板３ｂの前動で協動する。従って支持部材２は、遊動駆動で取付けられていることになる。
【００１２】
前記第１挟持具を正面から見たのが図２である。前記円形状支持部材２は、４分割にしてこれを長穴２ｄを穿設した固定板２ｃにボルトでもって止める構造にしている。従って部材を外に向かってスライドしてその位置で止めれば、その径は自由に変えられる。これはＦ・Ｔｕの内径の変化に対する迅速な対応策の１つといえる。勿論、この４分割は２分割以上の複数分割であっても良い。尚、前記長穴によるスライド構造は、他に例えば定ピッチで複数設けたネジとか、バネによるスライド構造にすることもできる。一方挟持具材３は、円形状支持部材２に対峙して４個設けられていてエヤ−シリンダ３ａによってＦ・Ｔｕを挟持したり、開放したりするようになっている。尚、挟持具材３の個数は、必ずしも支持部材２の個数と同じでなくてもよい。
【００１３】
そして、図２及び図４に示すように、前記円形状支持部材２はレ−ル２ａを遊動するが、これは両サイドに設けられたフリ−ロ−ラ２ｂがレ−ル２ａに切られた溝を転がることで遊動する。
【００１４】
そして前記第１挟持具の前方位には、Ｆ・Ｔｕを輪切断するために回転切断具が設けられる。この切断具は中央に溝を切った回転板４と回転板に一体して取付けられたカッタ−刃４ａとを主要部としてなる。回転板の回転は溝に填められたベルト４ｅを介してステッピングモ−タ４ｃによって回転する。従って回転板には、カッター刃４ａが固設されているので１回転することで輪切断されることになる。カッター刃４ａの切断動作の始動と終動とはエヤ−シリンダ４ｂによって行う。ここでカッター刃４ａに変えて、他の例えば超音波カッタ−、レ−ザカッタ−等を使うこともできる。
【００１５】
そして前記第１挟持具によって挟持されたＦ・Ｔｕは、同一線前位置に配置されている第２挟持具の位置まで前動し、前記ｄ１の範囲以内で先端部分を挟持する。この第２挟持具は第１挟持具と実質的に同じ構成を採り、同じ動作をして挟持する。つまり４分割の円形状支持部材５と、これに対峙して４個の挟持部材６が配設され、エヤ−シリンダ６ｂによって挟脱を繰り返す。但し支持部材５は支持棒５ａを介して垂直支持板６ｂに一体的に固設されているので、第１挟持具における円形状支持部材２のように遊動する機構はない。つまり、回動チエ−ン１０２に固定された垂直支持板６ｂの前後動によって挟持部材６と対峙して協動する機構にしている。尚、第２挟持具を正面から見た図が図３である。ここで５ｂは第１挟持具のそれと同じように、長穴５ｃの穿設された固定板であり、そして７ｂは後述する円形状支持部材２を後動させるための駆動シャフト７ａを通す長穴である。
【００１６】
尚、前記第１挟持具の円形状支持部材２の後動（原位置復帰）は、第１と第２挟持具における円形状支持部材２、５を斜視図で示した図３からより明らかにされる。つまり、前記第２挟持具の長穴７ｂに通された駆動シャフト７ａの先端に取付けた優弧環７を、エヤ−シリンダ７ｃで押すことで行う。ここでエヤ−シリンダ７ｃは、固定足７ｂを介して垂直支持板６ａの支持台６ｂに固定される。従って第２挟持具と協動することになる。
【００１７】
そして第１挟持具に添設された回転カッタ−刃４ａで輪切断され、第２挟持具で開放されて得られた製品であるチューブ片は系外に搬出される。まずそのために機上でチューブ片を一旦保持する手段を採る。それは吸着具８を設けることで行う。具体的には、前記第１挟持具と第２挟持具との間に設けた吸着パッド８である。吸着パッドは少なくとも上下と前後動する機構をもって配設されるが、その上下動はエヤ−シリンダ８ａ、前後動は８ａをエヤ−シリンダ８ｂにて側面を押引することで行なう。ここで吸着パッドの吸引は、電磁弁付きの真空ポンプを駆動源（不図示）にて行う。又ここでは２個の吸着パッドでもって行っているが、この数には拘らない。尚、エヤ−シリンダ８ｂは、固定足８ｃを介して垂直支持板３ｂに固定されているので、従って支持板と協動して前後動する。
【００１８】
そして前記吸着保持された製品であるチューブ片は、別設されている搬出部により系外に搬出し取得されるが、その手段としてここでは図５の収納・搬出装置による方法を例示する。図において、１０はベルト９を張架した上下２個の回転ローラ（回転体）で、上ローラは遊動、下ローラははステッピングモ−タ１２により自動回転する。そしてベルトには、一定ピッチでもって水平横設された半円形断面を有する掛止棒１１を有する。ローラ自身はシャフトを介して垂直支持部材１３にて支持され、台座１４に固定して全体を４個のキャスタ−（不図示）に固定して、そしてこれを搬送ベルト等（不図示）の自動搬送手段に乗せて自動搬送できるできるようにもしている。勿論、収納・搬出装置は、前記第２挟持具側で吸着部８に近設され待機している。尚、収納・搬出装置は縦の状態にあって掛止棒１１は上下に回転するが、これを横に寝かした状態に設けて掛止棒を水平に回転するようにしてもよい。この状態では掛止棒はベルト９により多く固設することができる。
【００１９】
前記装置による収納・搬出動作は、次の通りである。前記により吸着保持されたチューブ片は、まず前記吸着部に更に設けられた方向変換機構（首振り機構）（不図示）により装置が待機する位置まで水平移動する。そして装置の最上段に位置している掛止棒１１に挿入して吸着動作を解除し、掛止棒１１に引っ掛ける。吸着パッド８は、直ちに原位置に復帰すると共に、ステッピングモ−タ１２がステッピング回転する。次の掛止棒が最上段まで移動し待機する。チューブ片が全部の掛止棒に引っ掛けられたら、装置を所定場所まで移動させると共に、次の装置を準備して同一場所で待機させておく。多数の装置を使うことで、チューブ片を引っ掛けたまま安全な状態で収納保管することができる。つまり装置はラック移動型自動収納・搬出装置といえるものである。
【００２０】
そして前記輪切断装置には、動作制御部１０３が筐体１００の中央部に内設されている。制御部は、前記第１挟持具、第２挟持具、回転切断具、吸脱着部８及び搬出部が電気的に接続され、各部での動作切換えが瞬時に連続して行われるように制御する中央部として設けられ、全自動化を行っている。この動作切換えは、次に説明する動作の流れ順からより明らかになるが、それを瞬時的にキャッチして切り換えることになる。切り換えの信号発信は、図示していないがセンサ−、リミットスイッチを必要箇所に添設することで行っている。
【００２１】
本発明における連続輪切断装置の構造については前記に例示する通りであるが、以下に本発明の連続輪切断方法の流れを詳述する。動作の流れを、図６に、（Ｏ）〜（Ｖ）の順で模型図で示している。図６に従って、以下に説明する。
【００２２】
まず長さ（幅）いくらのＦ・Ｔｕに輪切断したいかを決めたなら、それに見合う第１挟持具と第２挟持具との間隔を前記制御部で制御設定する。この設定が終わったら、以下の（Ｏ）動作からスタ−トする。
（Ｏ）冷却マンドレル１ａによって冷却されたＦ・Ｔｕは、まず所定位置で待機する第１挟持具の隙間に挿通して行く。円形状支持部材２を通過してＦ・Ｔｕの端縁から部材２までの距離が丁度ｄ１になった時点で直ちに挟持具材３を作動して挟持する。ここでｄ１は、第２挟持具で挟持するに足る距離である。
（Ｐ）前記（ａ）動作で挟持した第１挟持具は、そのまま冷却マンドレル１ａからの供給速度で次に待機する第２挟持具に向かって前動する。
（Ｑ）第１挟持具が接近して、Ｆ・Ｔｕのｄ１の部分が第２挟持具の隙間に挿通されると第１挟持具の前動は停止する。
（Ｒ）前記第１挟持具の前動が停止すると、前記ｄ１以内の先端部分での第２挟持具の挟持動作、第１挟持具の挟持解除及び円形状支持部材２を優弧環７で押して後動することによる第１挟持具の原位置への後動の各動作が同時的に進行する。
（Ｓ）前記第１挟持具が原位置に復帰すると、その位置で再び挟持動作と吸着パッドによるＦ・Ｔｕの上面の吸着保持動作、及び回転カッタ−刃による輪切断動作が同時的に進行する。
（Ｔ）前記回転カッタ−刃が１回転したら回転は停止し輪切断が終わる。すると第１挟持具の挟持動作を一旦解除すると同時に、第２挟持具を前動する。吸着保持にあるＦ・Ｔｕが丁度レ−ル２ａから離された位置まで前動したらそこで挟持具は停止する
（Ｕ）動作前記第２挟持具が停止したら直ちに挟持を解除して、再び前動して第２挟持具をチューブ片から抜き去る。ここでの前動距離はチューブ片から抜くのに足りる最小距離である。抜くと同時に、宙ぶらりんの状態で吸着保持されているチューブ片は収納・搬出部に運ばれる。収納・搬出の装置及びその動作については前記の通りである。
（Ｖ）前記第２挟持具は直ちに原位置に後動し、最初の状態に復帰する。
以後前記（Ｏ）〜（Ｖ）が連続して繰り返されるがその１サイクルの所要時間は、３００ｍｍ／ｍｉｎの速度で供給して３００ｍｍ幅で輪切断する場合、約１分３０秒である。
【００２３】
尚、前記輪切断装置において、回転切断具は第１挟持具の先端に一体して設けられるが、更に第２挟持具の後部に一体して設けてもよい。この場合には若干動作を変えることになる。
【００２４】
【発明の効果】
本発明は前記の通り構成されているので次のような効果を奏する。管状樹脂フィルムから成り厚さが薄くて且つ柔らかいＴｕ（チュ−ブ）でも損傷させることなく、迅速に、確実に連続して輪切断することができるようになった。
【００２５】
輪切断したチューブ片の系外への搬出部として図６の装置を使うことで収納も兼ねた搬出がより安全（損傷もなく）に、確実に行うことができるようになった。
【図面の簡単な説明】
【図１】本発明装置の主要部を概略的に例示した側面図。
【図２】図１の第１挟持具を正面から見た図。
【図３】図１の第２挟持具を正面から見た図。
【図４】図１の第１挟持具と第２挟持具における円形状支持部材を斜視図で示した図。
【図５】本発明の搬出部として収納・搬出装置を斜視図で例示した図。
【図６】本発明の輪切断動作の流れを模型的に示した図。
【符号の説明】
１；環状押出機（供給部）
２、５；円形支持部材
２ａ；レ−ル
３、６；挟持部材
４；回転板
４ａ；カッタ−刃
７；円形支持部材２を後動させる優弧環
７ｃ；優弧環７の駆動源・エヤシリンダ−
８；吸着パッド（吸着具）
１０１；垂直支持板３ｂ、６ａを前後動するリニヤ−スライダ−
１０４；リニヤ−スライダ−１０１の駆動源・回動モ−タ
１０５；動作制御盤
９；掛止棒１１を回転するベルト
１２；ベルト９の駆動源・ステッピングモ−タ
【図１】
0004144659.tif 000002
【図２】
0004144659.tif 000003
【図３】
0004144659.tif 000004
【図４】
0004144659.tif 000005
【図５】
0004144659.tif 000006
【図６】
0004144659.tif 000007
0004144659.tif 000008